(57)【要約】  【課題】  スライダーの案内柱の前面に板スプリングの垂下片を安定した状態で収容し、保護できる自動停止装置付スライダーを提供する。  【解決手段】  スライダーの胴体１における上翼板４と下翼板５とを案内柱６で連結し、案内柱６の前面に上下方向へ連続して開口する溝部２１を設け、上翼板４の上面に配した自動停止機構の板スプリング２の一端を曲折して形成した垂下片９を溝部２１内に係止させて収容し、溝部２１の下端に前方へ突出する突部３０を設け、この突部３０は垂下片９の下方に位置して垂下片９の先端を保護し、垂下片９と突部３０との間に尖鋭物が挿入できない形に形成して、故意の破壊から守る安全な機構を備えた自動停止装置付スライダーである。【選択図】  図３
2005176910.tif 000002
【特許請求の範囲】
【請求項１】
上翼板４と下翼板５とを連結する案内柱６の前面に上下方向へ連続して開口する溝部２１を設け、上翼板４の上面に配置した停止機構の板スプリング２の垂下片９を溝部２１内に収容して係止し、溝部２１に前方へ突出する突部３０を設け、突部３０は垂下片９の先端の下方に位置する形状に形成してなることを特徴とする自動停止装置付スライドファスナー用スライダー。
【請求項２】
突部３０は、少なくとも垂下片９の先端の内縁３１よりも前方へ突出する形状に形成してなる請求項１記載の自動停止装置付スライドファスナー用スライダー。
【請求項３】
突部３０の下面３２は、下翼板５の表面と合致して延出する形状に形成してなる請求項１記載の自動停止装置付スライドファスナー用スライダー。
【請求項４】
突部３０の上面３３は、突部３０の基部３４から先端部３５に向け下り勾配に傾斜する形状に形成してなる請求項１記載の自動停止装置付スライドファスナー用スライダー。
【請求項５】
突部３０の先端部３５は、溝部２１内に存在する形状に形成してなる請求項１記載の自動停止装置付スライドファスナー用スライダー。
【発明の詳細な説明】
【技術分野】
【０００１】
この発明は、スライドファスナーに使用する自動停止機構を備えたスライダーであって、停止爪を有する板スプリングを引手の起伏操作によって、停止機能を働かせる自動停止装置付スライドファスナー用スライダーに関するものである。
【背景技術】
【０００２】
従来、知られているこの種のタイプの自動停止装置付スライドファスナー用スライダーは、図６に示すように胴体の上翼板の後方に突片、その基部に爪孔、前方に突片、その突片に板スプリングの係止舌片が当接する当接部をそれぞれ設け、案内柱の前面に係止部のある溝部を設け、板スプリングは倒コ字状で一端に停止爪、他端に垂下片を設け、垂下片に係止部と係合する係止片を設け、板スプリングの中央に係止舌片を屈設し、板スプリングを後方の突片と案内柱の係止部に係止させて係合舌片を当接部に常時圧接状態に形成したスライダーである。
【特許文献１】特開２００２−１０８０８号公報
【発明の開示】
【発明が解決しようとする課題】
【０００３】
前述の図４に示した自動停止装置付スライダーは、案内柱の前面に形成した溝部に板スプリングの垂下片を収容して係止したスライダーであるが、溝部内に収容し係止された垂下片の先端が露呈しているため、衣類の生地が引っ掛かり生地を損傷する恐れがあり、また垂下片を係止部から抜脱する恐れがある。さらに垂下片の先端と溝部との間へ千枚通しなどの先の尖った道具を刺し込み、故意に破壊する恐れがあるなど問題があった。
【０００４】
この発明は、上述の問題点を考慮して改良を行ったものであり、請求項１記載の発明は、案内柱の溝部内に収容し係止した垂下片の先端が下動して突出し、他の物品と接触するのを防いで垂下片が係止部から脱落するのを回避するとともに、垂下片と溝部との間に尖鋭物を挿入させることができない安全な自動停止機構を備えた自動停止装置付スライドファスナー用スライダーを提供することが主たる目的である。
【０００５】
請求項２〜５記載の発明は、それぞれ請求項１記載の発明の目的に加え、案内柱の溝部内に配設する突部の形状を特定することによって、垂下片の先端を保護し、優れた保護機能を発揮させることができる自動停止装置付スライドファスナー用スライダーを提供することが目的である。
【課題を解決するための手段】
【０００６】
前記の目的を達成するため、この発明のうち請求項１記載の発明は、スライダーの胴体１における上翼板４と下翼板５とを案内柱６で連結し、この案内柱６の前面に胴体１の上下方向へ連続して開口する溝部２１を設け、上翼板４の上面に配置した停止機構における板スプリング２の一端に曲折して設けた垂下片９を溝部２１内に収容して係止し、溝部２１に前方へ突出する形で突部３０を設け、この突部３０は垂下片９の先端の下方に位置する形状に形成した自動停止装置付スライドファスナー用スライダーを主な構成とするものである。
【０００７】
請求項２記載の発明は、請求項１記載の発明の構成に加え、溝部２１に形成する突部３０は、少なくとも垂下片９の先端の内縁部分よりも前方へ突出する形状に形成した自動停止装置付スライドファスナー用スライダーである。
【０００８】
請求項３記載の発明は、請求項１記載の発明の構成に加え、溝部２１に形成する突部３０の下面３２は、胴体１の下翼板５の表面と合致して延出する形状に形成した自動停止装置付スライドファスナー用スライダーである。
【０００９】
請求項４記載の発明は、請求項１記載の発明の構成に加え、溝部２１に形成する突部３０の上面３３は、突部３０の基部３４から先端部３５に向け下り勾配に傾斜する形状に形成した自動停止装置付スライドファスナー用スライダーである。
【００１０】
請求項５記載の発明は、請求項１記載の発明の構成に加え、溝部２１に形成する突部３０の先端部３５は、溝部２１から外方へ突出することなく、溝部２１内に存在する形状に形成した自動停止装置付スライドファスナー用スライダーである。
【発明の効果】
【００１１】
この出願の発明の効果として、請求項１記載の発明は、上翼板と下翼板とを連結する案内柱の前面に上下方向へ連続して開口する溝部を設け、上翼板の上面に配置した停止機構の板スプリングの垂下片を溝部内に収容して係止し、溝部に前方へ突出する突部を設け、突部は垂下片の先端の下方に位置する形状に形成したことによって、垂下片の先端が下方へ可動するのを防ぎ、かつ垂下片の端部の露出度合を減らすことにより、他の物品との接触を少なくして、他の物品に損傷を与えることがなく、また破壊を防ぐことができる。しかも垂下片と溝部との間に尖鋭物を挿入することができない安全な自動機構を備えたスライダーに仕上げることができる効果がある。
【００１２】
請求項２記載の発明は、請求項１記載の発明の効果に加え、突部は、少なくとも垂下片の先端の内縁よりも前方へ突出する形状に形成したことによって、溝部に形成した突部が垂下片の先端を的確に保護することができる効果がある。
【００１３】
請求項３記載の発明は、請求項１記載の発明の効果に加え、突部の下面は、下翼板の表面と合致して延出する形状に形成したことによって、スライダーの外観上突部の存在により、溝部および係止部の露出度合を少なくして、体裁のよいスライダーに仕上げられる効果がある。
【００１４】
請求項４記載の発明は、請求項１記載の発明の効果に加え、突部の上面は、突部の基部から先端部に向け下方へ傾斜する形状に形成したことによって、溝部内における垂下片の収容スペースを確保し、垂下片を安定して保持できる効果がある。
【００１５】
請求項５記載の発明は、請求項１記載の発明の効果に加え、突部の先端部は、溝部内に存在する形状に形成したことによって、突部が溝部内に内在するので、他の部品と接触することがなく、垂下片の先端を確実に保護することができる効果があるなど、この発明が奏する効果はきわめて顕著である。
【発明を実施するための最良の形態】
【００１６】
この発明における自動停止装置付スライドファスナー用スライダーは、スライダーの胴体１の上翼板４と下翼板５を案内柱６で連結し、上翼板４の後方に突片１７を設け、その基部に爪孔２０を設け、上翼板４の前方に突片１２を設け、その突片１２に板スプリング２の係止舌片２４が当接する当接部１４を設け、案内柱６の前面に係止部２２のある溝部２１を設け、板スプリング２は倒コ字状で一端に停止爪８、他端に垂下片９を設け、垂下片９に係止部２２と係合する係止片２３を設け、板スプリング２の中央に係止舌片２４を屈設し、板スプリング２を後方の突片１７と案内柱６の係止部２２に係止させて係止舌片２４を当接部１４に常時圧接し、溝部２１内に収容し係止した垂下片９における先端の下方に溝部２１内で突出する突部３０を設けて垂下片９の先端を保持した自動停止装置付スライドファスナー用スライダーである。
【実施例】
【００１７】
この発明の自動停止装置付スライドファスナー用スライダーの実施例について、図面を参照しながら具体的に説明する。
【００１８】
この発明の自動停止装置付スライドファスナー用スライダーは、胴体１、板スプリング２、引手３の三部材から形成され、これらの部材は銅−亜鉛合金などの金属をプレス加工することで製造される。胴体１は、上翼板４と下翼板５とを案内柱６で連結し、内部にファスナーエレメントのガイド溝１９を形成している。板スプリング２は板状で両端が屈曲し、中央に基板７、一端に停止爪８、他端に胴体１への固定用の垂下片９が形成され、引手３は胴体１に回動自在に枢着するための枢軸１０が一端に設けられ、他端に摘み部１１が形成されている。
【００１９】
胴体１は、上翼板４の肩口側の中央に上方へフック状に突出する突片１２が設けられ、突片１２の先端中央に突出する係合突起１３を設けて板スプリング２の係止舌片２４の透孔２５が嵌入する。また係合突起１３の両側の突片１２の先端に係止舌片２４が当接できる当接部１４が形成され、当接部１４は上翼板４の上面に対して、その延長戦が直角に交わる垂直面に形成されている。突片１２の基部にはエレメントガイド溝１９に通じる透孔１５を設け、突片１２の基部両側には前傾した支持台１６が突設されている。支持台１６は、板スプリング２に上方から押圧力が加わった時に、板スプリング２の下面と当接し、板スプリング２が過度に変形して塑性変形することを防いでいる。
【００２０】
上翼板４の後口側の中央に後方へ傾倒するフック状の突片１７を突設し、突片１７の先端を曲折して係止部１８を設けていたスプリング２の引掛孔２６を遊嵌し、突片１７の基部にエレメントガイド溝１９に通ずる爪孔２０が穿設されている。案内柱６の前面に溝部２１を設け、この溝部２１の両側に下部が水平状で上部が傾斜する略直角三角形状の係止部２２を設け、板スプリング２の係止片２３と係合できるように形成する。
【００２１】
案内柱６の前面に形成した溝部２１は、下端に前方へ突出する突部３０を設け、この突部３０は溝部２１に収容し係止する板スプリング２の垂下片９の先端における内縁部分よりも前方へ突出して垂下片９を保持し、突部３０の下面３２は下翼板５の表面と合致して延出し、スライダーの摺動動作をスムーズに行う。また突部３０の上面３３は突部３０の基部３４から先端部３５に向け下り勾配に傾斜する形状に形成し、かつ突部３０の先端部３５を溝部２１内に存在する形状に形成して、溝部２１内に収容して係止する板スプリング２の垂下片９の先端を保護する。
【００２２】
板スプリング２は、略倒コ状を呈し、一端に停止爪８、他端に細幅状の垂下片９を設け、垂下片９の先端に横に張り出す係止片２３を突設して案内柱６に設けた係止部２２と係合する。板スプリング２の中央基板７に開口部２８を設け、この開口部２８の口縁から前方へ向け、かつ下方へ曲折して延出した係止舌片２４を設け、この係止舌片２４の中央には突片１２の係合突起１３が遊嵌できる透孔２５が穿設され、また停止爪８に近傍する板スプリング２に後方の突片１７の係止部１８が遊嵌できる引掛孔２６が穿設され、停止爪８の浮上するのを規制する。
【００２３】
引手３は一端に枢軸１０、他端に摘み部１１が設けられ、引手３が胴体１に装着され倒伏したとき、枢軸１０が胴体１に対向する側に偏倚突出するとともに、枢軸１０の断面形状が引手３の長手方向に沿って長い長方形を呈するカム２７が形成され、引手３を胴体１に装着し引手３の起倒操作により、板スプリング２を持ち上げるように形成する。
【００２４】
次に自動停止機構を備えたスライダーの組立ては、胴体１の上翼板４における前後の突片１２，１７の間に引手３の枢軸１０に設けたカム２５が収容する状態に引手３を戴置し、その上面へ板スプリング２を配するか、または上翼板４の爪孔２０に停止爪８を挿入するとともに、引掛孔２６に突片１７を遊嵌させて引掛孔２６の口縁を突片１７の係止部１８に係止できるように配する。
【００２５】
板スプリング２の基板７の前方に設けた開口部２８に突片１２を嵌挿させるとともに、板スプリング２の係止舌片２４を突片１２の下方に設けた透孔１５に挿入し、突片１２の係止突起１３と係止舌片２４の透孔２５とが嵌入できるように配設し、係止舌片２４の表面が突片１２に設けた当接部１４に圧接されるように板スプリング２の側縁が上翼板４上の支持台１６に戴置する。
【００２６】
さらに板スプリング２の先端に設けた垂下片９を、先端を胴体１の案内柱６に設けた凹状の溝部２１の両側に配した係止部２２の斜面に沿ってガイドしながら押し下げると、垂下片９は弾性変形し、係止部２２の上部の斜面を乗り越えた時に弾性復帰して、係止部２２の下部の水平面と突部３０の上面との間に入り込む。これにより係止片２３と係止部２２とが係合し、かつ垂下片９が溝部２１の底面に圧接してスライダーは組立てられる。
【００２７】
組立てられたスライダーは、引手３を胴体１上へ起立させると、引手３のカム２７によって板スプリング２は弾力に抗して持ち上げられ、停止爪８をエレメントガイド溝１９から退避させることによりスライダーは自由に摺動させることができる。また引手３を元の位置へ倒伏させれば、停止爪８はエレメントガイド溝１９へ進出してエレメント間に挿入されスライダーは停止する。引手３を胴体１の前方へ倒せば板スプリング２は偏倚したカム２７によって持ち上げられた状態を維持するから、スライダーは前方へ自由に摺動させることができる。
【産業上の利用可能性】
【００２８】
この発明の自動停止装置付スライドファスナー用スライダーの活用例として、衣服、特に各種のコートおよび各種のジャンパーの前身頃の開口部に取り付けて使用する。スライダーは最後まで摺動して開口部を閉鎖し、または途中でスライダーの摺動を自動的に停止させ、半開き状態にすることも自由にできる。
【図面の簡単な説明】
【００２９】
【図１】自動停止装置付スライドファスナー用スライダーの分解斜視図である。
【図２】同上スライダーの正面図である。
【図３】同上スライダーのＡ−Ａ断面図である。
【図４】同上スライダーのＢ−Ｂ断面図である。
【図５】同上スライダーの背面図である。
【図６】公知のスライダーの縦断面図である。
【符号の説明】
【００３０】
１            胴体
２            板スプリング
３            引手
４            上翼板
５            下翼板
６            案内板
９            垂下片
２１            溝部
３０            突部
３２            下面
３３            上面
３４            基部
３５            先端部
【図１】
2005176910.tif 000003
【図２】
2005176910.tif 000004
【図３】
2005176910.tif 000005
【図４】
2005176910.tif 000006
【図５】
2005176910.tif 000007
【図６】
2005176910.tif 000008